(57)【要約】【課題】室内採光を十分に行えるシャッター装置を提供すること。【解決手段】開口部２０を画成する枠体１０の所定の個所にブロック体６０を設け、カーテン３０の繰り出し時、最下端のスラット２２Ｌの自由端が前記ブロック体６０のカム面に係合したとき、各スラット２２が前記開口部に対してなす角度が変化するようにせしめた。【選択図】　　　図２
2004052489.tif 000002
【特許請求の範囲】
【請求項１】
開口部内で左右方向に延在し且つ上下方向に並置された複数のスラットから形成されるカーテンが、前記カーテンの左右方向の端部に設けられた線状体に連結され、前記開口部の上側に設置された巻き取り軸に対して巻き上が及び繰り出し可能とされたシャッター装置において、前記開口部を画成する枠体の所定の個所にブロック体を設け、前記カーテンの繰り出し時、いずれかのスラットの自由端が前記ブロック体のカム面に係合したとき、前記カム面のプロフィールに応じて、各スラットが前記開口部に対してなす角度が変化するようにせしめた、シャッター装置。
【請求項２】
前記カーテンの繰り出し長さと前記各スラットの回動角度とが略比例するように前記カム面のプロフィールが形成されている、請求項１記載のシャッター装置。
【請求項３】
（１）上枠部、下枠部、前記上枠部の右端部と前記下枠部の右端部とを連結する右縦枠及び前記上枠部の左端部と前記下枠部の左端部とを連結する左縦枠とから形成されて開口部を画成する枠体と、（２）前記枠体の上枠部内に回転可能に装架された巻き取り軸と、（３）前記開口部内を左右方向に延在し且つ上下方向に並置された複数のスラットから形成されるカーテンと、（４）前記右縦枠及び前記左縦枠のいずれか一方の内部に収容され、前記各スラットの左右方向の一端部の第１の位置に枢着され、前記カーテンと並行して前記巻き取り軸上に巻き上げ可能な第１線状体と、（５）前記第１第１線状体に連接配置されて、前記各スラットの左右方向の一端部の第２の位置にピンにて枢着され、前記下枠上に着座可能で、前記第１線状体に重畳されて前記巻き取り軸上に巻き上げ可能な第２線状体と、（６）前記第２線状体の下端部に固定され、前記下枠に着座可能な座板と、（７）前記下枠から所定の高さの位置になるように枠体に固定され、且つ室外側にはカム面が形成されたブロック体とからなり、このカム面のプロフィールに応じて所定角度回動し、前記カーテンの下降が更に進んで前記座板が前記下枠に着座すると隣接するスラット間には開放通路は画成されず、前記カーテンは前記開口を完全に閉塞してなる、シャッター装置。
【発明の詳細な説明】
【０００１】
【発明の属する技術分野】
本発明は、シャッター装置、特に複数のスラットから形成されるカーテンが巻き取り軸に巻き上げられた（巻き取り軸から繰り出された）とき、枠体内に画成された開口部を開放（閉鎖）するシャッター装置に関する。
【０００２】
【従来の技術】
周知のように、上記したスラットの形式のシャッター装置においては、カーテンが閉鎖されている間でも、採光や換気が出来るように、例えば、特開２０００−２７１５７４号公報に開示されたシャッター装置においては、カーテンを構成する複数のスラットが、採光姿勢と閉塞姿勢とに変姿するように、構成されている。
【０００３】
【発明が解決しようとする課題】
しかしながら、このシャッター装置においては、各スラットは、室外に向かって斜下方向に位置されて、恰も庇を形成するようになっており、室内への採光が十分ではなかった。また、各スラットは採光姿勢と閉塞姿勢のみしかとれす、室内への採光の態様を調整することが出来なかった。
【０００４】
それ故に、本発明は、上記した不具合がない、シャッター装置を提供することを、その技術的課題とする。
【０００５】
【課題を解決するための手段】
上記した課題を解決するために請求項１において講じた第１の技術的手段は、請求項１に記載するように、「開口部内で左右方向に延在し且つ上下方向に並置された複数のスラットから形成されるカーテンが、前記カーテンの左右方向の端部に設けられた線状体に連結され、前記開口部の上側に設置された巻き取り軸に対して巻き上が及び繰り出し可能とされたシャッター装置において、前記開口部を画成する枠体の所定の個所にブロック体を設け、前記カーテンの繰り出し時、いずれかのスラットの自由端が前記ブロック体のカム面に係合したとき、前記カム面のプロフィールに応じて、各スラットが前記開口部に対してなす角度が変化するようにせしめた、シャッター装置。」を構成したことである。
【０００６】
また、上記した課題を解決するために講じた第２の技術的手段は、請求項２に記載するように、「前記カーテンの繰り出し長さと前記各スラットの回動角度とが略比例するように前記カム面のプロフィールが形成されている、請求項１記載のシャッター装置」を構成したことである。
【０００７】
更に、上記した課題を解決するために講じた第３の技術的手段は、請求項３に記載するように、「（１）上枠部、下枠部、前記上枠部の右端部と前記下枠部の右端部とを連結する右縦枠及び前記上枠部の左端部と前記下枠部の左端部とを連結する左縦枠とから形成されて開口部を画成する枠体と、（２）前記枠体の上枠部内に回転可能に装架された巻き取り軸と、（３）前記開口部内を左右方向に延在し且つ上下方向に並置された複数のスラットから形成されるカーテンと、（４）前記右縦枠及び前記左縦枠のいずれか一方の内部に収容され、前記各スラットの左右方向の一端部の第１の位置に枢着され、前記カーテンと並行して前記巻き取り軸上に巻き上げ可能な第１線状体と、（５）前記第１第１線状体に連接配置されて、前記各スラットの左右方向の一端部の第２の位置にピンにて枢着され、前記下枠上に着座可能で、前記第１線状体に重畳されて前記巻き取り軸上に巻き上げ可能な第２線状体と、（６）前記第２線状体の下端部に固定され、前記下枠に着座可能な座板と、（７）前記下枠から所定の高さの位置になるように枠体に固定され、且つ室外側にはカム面が形成されたブロック体とからなり、このカム面のプロフィールに応じて所定角度回動し、前記カーテンの下降が更に進んで前記座板が前記下枠に着座すると隣接するスラット間には開放通路は画成されず、前記カーテンは前記開口を完全に閉塞してなる、シャッター装置。」を構成したことである。
【０００８】
【発明の実施の形態】
以下、添付図面に依拠して、本発明にかかるシャッター装置の実施形態について説明する。
【０００９】
図１において、建物（図示略）の壁面に固定された枠体１０は、上枠部１２、下枠部１４、上枠部１２の右端部と下枠部１４の右端部とを連結する右縦枠１６及び上枠部１２の左端部と下枠部１４の左端部とを連結する左縦枠１８とから形成されて、内部に開口部２０が画成される。
【００１０】
枠体１０の上枠１２部内には巻き取り軸９０が装架されており、周知の駆動機構（図示略）により、双方向に回転可能となっている。
【００１１】
開口部２０を開閉するカーテン３０は、開口部２０内を左右方向に延在し且つ上下方向に並置された複数のスラット２２から構成されている。しかして、隣接するスラット２２・２２の左右方向の一端部の第１の位置には、第１リンク機構４０のリンク部材４０ａの上端部・下端部が、ピン４２・４２により、枢着されている。隣接するスラット２２・２２の左右方向の他端部も、図示こそしないが、同様な構造になっている。ただし、ワイヤ連結で代替が可能である。尚、複数のリンク部材４０ａからなる第１リンク機構４０は、左縦枠１８内に、外からは見えないように収容され且つカーテン３０と連動して、巻き取り軸９０に巻き上げ可能となっている。
【００１２】
第１リンク機構４０に連接して、第２リンク機構５０が配置されている。第２リンク機構５０のリンク体５０ａの上部はスラット２２の左右方向の一端部の第２の位置にピン５２により枢着されている。このリンク体５０ａの下側には長孔５０ｂが形成されており、この長孔５０ｂは、下側のスラット２２の左右方向の一端部の第２の位置に植設されたピン５２を移動可能に収容している。かような構成を採用することにより、第１リンク機構４０が巻き取り軸９０に巻き上げられたときに、第２リンク機構５０が常時、第１リンク機構４０の内側位置に巻き取ることが可能となる。第２リンク機構５０の最下のリンク体５０ａには、下枠部１４に着座可能な座板５４が固定されている。尚、隣接するスラット２２・２２の左右方向の他端部も、図示こそしないが、同様に第２リンク機構を備える構造になっている。複数のリンク部材５０ａからなる第２リンク機構５０は、第１リンク機構４０と同様に、左縦枠１８内に、外からは見えないように収容される。
【００１３】
右縦枠１６の内側には、下枠部１４から所定の高さの位置になるように、ブロック体６０が固定されており、このブロック体６０の室外側表面にはカム面６２が形成されている。しかして、カーテン３０の下降に伴い座板５４の高さが下枠部１４から第１の所定値になって最下端のスラット２２Ｌの自由端がブロック体６０のカム面６２の第１部６２ａに係合するまでは、最下端のスラット２２Ｌが図２に示すように、座板５４と一体のストッパ８０の表面８０ａに規制されて室外側に対して斜め上方向を指向するように保持される。最下端のスラット２２Ｌは、第２リンク機構６０を介して上位のスラット２２と連係されているので、上位のスラット２２も同様の位置をとり、隣接するスラット２２間に画成される開放通路は、室内から室外に向かって斜め上方向に延在する。
【００１４】
カーテン３０の更なる下降に伴い座板５４の高さが下枠部１４から第２の所定値になって最下端のスラット２２Ｌの自由端が回動して、最下端のスラット２２Ｌの室外側面がカム面６０の第２部６０ｂに支持される態様を呈すると（図３）と、隣接するスラット２２・２２間に画成される開放通路７０は室内から室外に向かって斜め下方向に延在する。
【００１５】
カーテン３０の下降が更に進んで座板５４が下枠部１４に着座すると、図４に示されるように、隣接するスラット２２・２２間には開放通路は画成されず、カーテン３０は開口２０を完全に閉塞することになる。
【００１６】
上記したように、各スラット２２は、ブロック体６０のカム面６２のプロフィール室外に対する角度を約１２０度変化できる。これにより、図２に示すように各スラットを、同時に、室外に向かって斜上方向に位置して、室内側への採光量を通風量と共に十分確保したり、図３に示すように各スラットを、同時に、室外に向かって斜下方向に位置して、室内側への採光量を抑制する（日射の室内への直射防止）と共に通風量を十分確保したりすることが可能となる。
【００１７】
尚、リンク機構に代えて、ワイヤを用いても良い。リンク機構及びワイヤは、線状体として包括的に表現できる。
【００１８】
【発明の効果】
以上述べたことから明らかなように、本発明によれば、各スラットを、室外に向かって斜下方向に位置したり斜上方向に位置したりして、採光態様を調整でき、実用上、多大な効果を奏する。
【図面の簡単な説明】
【図１】本発明のシャッター装置の外観斜視図。
【図２】図１に示すシャッター装置において、スラットが室外に向かって斜上方向に位置している状態を示す説明図。
【図３】図１に示すシャッター装置において、スラットが室外に向かって斜下方向に位置している状態を示す説明図。
【図４】図１に示すシャッター装置において、スラットが開口を閉塞している状態を示す説明図。
【符号の説明】
１０・・・枠体
２２・・・スラット
３０・・・カーテン
４０・・・第１リンク機構
５０・・・第２リンク機構
６０・・・ブロック体
【図１】
2004052489.tif 000003
【図２】
2004052489.tif 000004
【図３】
2004052489.tif 000005
【図４】
2004052489.tif 000006